(57)【要約】      （修正有）【課題】複数のブリスタポケットを備えたブリスタストリップから粉末状の吸入剤を送達するための受動型の吸入器を提案する。【解決手段】吸入器１は、優れた脱凝集を行うために、空気流９が取り込まれた吸入剤１０とともに衝突することができる衝突要素３１を備えている。代わりとして、吸入器１は、吸入剤１０の優れた脱凝集を行うために発振および（または）振動デバイスを備えている。代わりとなる、または付加的な吸入器１は、好ましくは反対の回転方向に渦巻きを発生させるための１つまたは２つの混合手段を備えている。【選択図】図３
2014140755.tif 000002
【特許請求の範囲】
【請求項１】
投与分の吸入剤を含有する複数のブリスタポケット（３）を有するバンド形状のブリスタストリップ（２）からの吸入剤の送達のための吸入器（１）であって、前記吸入器（１）は、
前記ブリスタストリップ（２）の段階的な前方移動のための運搬装置（５）と、
配列されたブリスタポケット（３）の蓋（２７）を穿孔するための穿通部材（７）と、を備え、
前記吸入器（１）は、開封したブリスタポケット（３）から各投与分を放出し、マウスピース（８）を介してエアロゾルの霧（１１）として外気とともに前記各投与分を送達するために、吸入の間の吸息により外気の空気流（９）を吸い込むかまたは送達することができるように設計され、
前記吸入器（１）は、前記吸入剤の脱凝集を支援するため、且つ／または前記ブリスタストリップ（２）および／または穿通部材（７）、或いは前記吸入器（１）の任意の別の構成材の少なくとも一部分を振動させるために、前記ブリスタストリップ（２）から分離した発振および／または振動デバイス（３５）を備える、
ことを特徴とする、吸入器。
【請求項２】
第１混合手段が、前記発振および／または振動デバイス(２９)の上流に配置されることを特徴とする、請求項１に記載の吸入器。
【請求項３】
前記発振および／または振動デバイス（３５）が、前記空気流（９）により操作されることを特徴とする、請求項１または２に記載の吸入器。
【請求項４】
前記発振および／または振動デバイス（３５）が、前記マウスピース（８）内、供給路内（２０）、またはそれらの下流に配置されることを特徴とする、請求項１乃至３のいずれか１項に記載の吸入器。
【請求項５】
前記発振および／または振動デバイス（３５）が、発振要素（３６）を備えているか、または前記発振要素（３６）により形成されることを特徴とする、請求項１乃至４のいずれか１項に記載の吸入器。
【請求項６】
前記発振要素（３６）が、前記空気流（９）および／または取り込まれた吸入剤のために、衝突体または偏向体を形成することを特徴とする、請求項５に記載の吸入器。
【請求項７】
前記発振要素（３６）が、前記供給路（２０）または前記マウスピース（８）の主要な流れ方向において前後に動くことにより発振することを特徴とする、請求項５または６に記載の吸入器。
【請求項８】
前記発振要素（３６）が、前記供給路（２０）に接続されるか、または前記供給路（２０）により形成されたチャンバ（３７）内で自由に可動であることを特徴とする、請求項５乃至７のいずれか１項に記載の吸入器。
【請求項９】
前記発振および／または振動デバイス（３５）が、ベルヌーイ効果を使用することを特徴とする、請求項１乃至８のいずれか１項に記載の吸入器。
【請求項１０】
前記吸入器（１）が、前記発振および／または振動デバイス（３５）、或いはその発振要素（３６）が２０Ｈｚ乃至５０００Ｈｚの周波数で発振または振動するように設計されていることを特徴とする、請求項１乃至９のいずれか１項に記載の吸入器。
【請求項１１】
前記発振および／または振動デバイス（３５）が、バイパス用空気流（２４）と供給用空気流（２３）の混合の下流に配置されることを特徴とする、請求項１乃至１０のいずれか１項に記載の吸入器。
【請求項１２】
前記吸入器（１）が、前記穿通部材（７）を支持または形成する、成形され且つ／または単一の挿入部（１７）を備え、前記挿入部（１７）が、衝突要素（３１）、前記発振および／または振動デバイス（３５）、並びに／或いは第１混合手段および／または第２混合手段を含有し、備え、または形成することを特徴とする、請求項１乃至１１のいずれか１項に記載の吸入器。
【発明の詳細な説明】
【技術分野】
【０００１】
本発明は、独立請求項のいずれか１つの前段部による吸入器に関する。
【０００２】
本発明は、投与に吸入剤を含む、複数のブリスタポケット（ブリスタとも呼ばれる）を備えるブリスタストリップから粉末状の吸入剤を送達するための吸入器に関する。
【背景技術】
【０００３】
特許文献１は、巻き取り式のブリスタストリップを備えた吸入器を開示している。吸入器は、手動操作される旋回可能なアクチュエータを備えており、段階的にブリスタストリップを動かすための運搬装置を作動させる。アクチュエータは、穿通材および関連のマウスピースを支持する。アクチュエータを旋回させることによりブリスタストリップが前に進み、ブリスタストリップのブリスタポケットを順に穿通することができる。患者が前もって穿通されたブリスタポケットを通る空気流において吸息すると、その結果、ブリスタポケットの吸入剤が空気と混合し、患者に放出される。
【先行技術文献】
【特許文献】
【０００４】
【特許文献１】ドイツ特許第２４０７０４２（Ａ）号明細書
【発明の概要】
【発明が解決しようとする課題】
【０００５】
本発明は、受身型の吸入器、すなわち、患者または利用者が吸息する吸入器であり、吸入剤を取り込み、所望のエアロゾルを形成する空気流を発生させる吸入器に関する。吸入剤の脱凝集、主に、好ましくは２μｍから１０μｍ、詳細には２μｍから７μｍの範囲にある吸入剤の微粒子のみを含むエアロゾルを確保することが課題である。
【０００６】
本発明の目的は、最適化された放出特性を備える吸入器を提供することである。
【課題を解決するための手段】
【０００７】
上述の目的は、独立請求項のいずれか１項に記載の吸入器により達成される。有利な実施形態は従属請求項の主題である。
【０００８】
本発明の第１態様によると、吸入器は、取り込まれた吸入剤を備える空気流の衝突および（または）偏向のための衝突要素を備えている。これにより放出特性を最適化することができる。詳細には、吸入剤の大きな粒子を衝突要素に衝突させることができ、つまり、詳細には、より微細な粒子に分割させることができる。
【０００９】
独立的に実現できる本発明の第２形態によると、吸入器は、吸入器内で空気の渦巻きまたはサイクロンを発生させるための混合手段を備えている。これが優れた混合、詳細には、空気により取り込まれた吸入剤の大きな粒子の脱凝集を支援する。
【００１０】
最適化された放出特性を達成するために、衝突要素および混合手段が組み合わされることが最も好ましい。次いで混合手段は、好ましくは衝突要素の上流に配置される。
【００１１】
上述の態様を組み合わせて、または単独で実現できる、本発明のさらなる態様によると、反対の回転方向に渦巻きまたはサイクロンを発生させるための２つの混合手段を提供する。詳細には、２つの混合手段は、交互または軸方向上下に配置される。つまり吸入剤の最適化された脱凝集を達成できる。
【００１２】
本発明の別の態様によると、吸入器は、吸入剤の脱凝集を支援し、且つ（または）吸入器のブリスタ、供給路、穿通部材、または任意の別の構成材を振動させるための、代わりとなる、または付加的な発振および（または）振動デバイスを備えている。これにより吸入剤の優れた脱凝集、つまり最適化された放出特性を可能に、または確保することができる。
【００１３】
好ましくは、発振および（または）振動デバイスは、供給路内または上流に配置され、吸入器が操作または使用されると、吸入器、詳細には供給路を流れる空気流により操作される、ボールのような発振要素を備えている。
【００１４】
詳細には、発振および（または）振動デバイス、並びに（或いは）その発振要素は、詳細には供給路を流れるガス流により取り込まれた吸入剤の大きな粒子の脱凝集、詳細には発振要素への衝突を支援する衝突および（または）偏向手段を形成する。
【００１５】
代わりとなる、または付加的な発振および（または）振動デバイスは、好ましくは吸入器および（または）ブリスタストリップの少なくとも一部分、詳細には、供給路、穿通部材、および（または）各ブリスタポケットで振動を開始する。これによりリザーバの、詳細には、ブリスタポケットの吸入剤の最適化された緩和および（または）脱凝集を許容または確保することができる。
【００１６】
好ましくは、吸入器はまた、発振および（または）振動デバイスに加えて、または組み合わせにおいて、好ましくは供給路で渦巻きまたはサイクロンを発生させるための混合手段を備えている。詳細には、この混合手段は、発振および（または）振動デバイスの上流に配置される。この組み合わせにより、非常に良好な放出特性、詳細には、先行技術よりもさらに優れた吸入剤の脱凝集を達成することができる。
【００１７】
本発明のさらなる態様、特徴、特性、および有利性を、図を参照して、請求の範囲と以下の好ましい実施形態の記載とに説明する。
【図面の簡単な説明】
【００１８】
【図１】マウスピースカバーを備えていない吸入器の概略的な断面図である。
【図２】閉じたマウスピースカバーを備える吸入器の概略的な断面の表示図である。
【図３】マウスピースおよび穿通部材の領域における吸入器の拡大断面図である。
【図４】マウスピース内の挿入部の断面図である。
【図５】マウスピースおよび穿通部材の領域における、別の吸入器の拡大断面図である。
【図６】マウスピースおよび穿通部材の領域におけるさらなる吸入器の拡大断面図である。
【発明を実施するための形態】
【００１９】
図において、繰り返しの記載が割愛されても、同じ参照番号が同一または類似部分として使用される。そして具体的には、同一のまたは対応する有利性および特性が、従って結果として生じ、または達成され得る。
【００２０】
図１は、概略的な断面の表示図における吸入器１を示している。好ましくは、吸入器１は、携帯でき、機械的にのみ機能し、且つ（または）手動操作される。
【００２１】
吸入器１は、バンド形状のブリスタストリップ２から粉末化された吸入剤を送達する役目を果たす。ブリスタストリップ２は有限であり、無端または閉じたループではない。それぞれ、直接１回投与分のばらの（ｌｏｏｓｅ）吸入剤を含む多数のブリスタポケット３を有する。つまり、製剤は予め計量されている。
【００２２】
吸入器１は、閉じた（密封した）ブリスタポケット３を備えるまだ未使用のブリスタストリップ２のための、リザーバ４を有する。ブリスタストリップ３はリザーバ４において巻き取られる、または巻き上げられる。表示図の例では、リザーバ４は、ブリスタストリップ２を可能な限り容易にリザーバ４の外に動かす、または引き抜くことができるように形成される。
【００２３】
表示図の例では、ブリスタストリップ２は、リザーバ４に直接受入れられている。しかし、これに代わり、カセット、容器、ドラム、またはその類似物も、吸入器１またはリザーバ４内のブリスタストリップ２に嵌め、または挿入することができる。
【００２４】
吸入器１は、各ブリスタポケット３を開封し空っぽにできる開口部および（または）取り出し位置６に、ブリスタポケット３を引き続き供給するため、１つのブリスタポケット３につき矢印５ａの方向へ、ブリスタストリップ２を段階的に前方移動させるための運搬装置５を有する。
【００２５】
ブリスタポケット３は、好ましくは穿通部材７の手段によりそれぞれ開封することができ、穿通部材７は、位置６においてそれぞれ配列されたブリスタポケット３の蓋を穿孔により切り開ける。穿通部材７は中空であり、近接した吸入器１のマウスピース８と流体接続している。
【００２６】
表示していないが、吸入の間または吸入のために、患者または利用者は、口にマウスピース８をつけて吸息する。穿通部材７が延伸してそれぞれ開封されたブリスタポケット３は、吸い込むことによって空になる。外気の空気流９は、ばらの粉末１０（吸入剤を形成し、図１においてはマウスピース８の下の実際に開封されたブリスタポケット３でのみ概略的に示される）が、マウスピース８を介してエアロゾルの霧１１として、吸い込まれた外気と共に投薬されるように吸い込まれ、開封されたブリスタポケット３を通る。
【００２７】
吸入器１は、吸入器１のハウジング１２ａに旋回可能に取付けられた、好ましくは手動で作動できるレバー式のアクチュエータ１２を有する。穿通部材７およびマウスピース８は、アクチュエータ１２に装着され、支持されている。
【００２８】
アクチュエータ１２は、穿通部材７に、マウスピース８の下の位置６でそれぞれ配列されたブリスタポケット３の蓋を穿孔させるように操作可能(旋回可能)である。
【００２９】
アクチュエータ１２が、図１で示される位置から図３に示される部分的に開いた位置に旋回（ここでは反時計回り）すると、穿通部材７は最後に穿孔したブリスタポケット３から引き出される。
【００３０】
次いで、ブリスタストリップ２は、ブリスタポケット３一つ分前に動かされ、そうして次のブリスタポケット３が位置６に動かされる。このことは後に、より詳細に説明する。
【００３１】
アクチュエータ１２が旋回して図１に示される位置に戻る、すなわち手動で戻されると、次に並んだ、ブリスタストリップ２のブリスタポケット３が穿通部材７により穿孔され、それによって開封される。次いで、次の吸入を行うことができ、すなわち吸入器１が作動される。
【００３２】
吸入器１は、ブリスタストリップ２の使用済みの部分を受入れ、または格納するための、受入れ空間または装置１３を有する。受入れ空間または装置１３は、使用済みの部分を巻き上げることができるように形成される。図１は、本質的に満たされたリザーバ４、および本質的にまだ空の受入れ空間１３を備えた状況を示している。
【００３３】
運搬装置５は、ブリスタポケット３の間に係合することができ、つまり、形態を固定または形態に適合した様式でブリスタストリップ２を運搬する、運搬ホイール１４を備えている。これにより、所望し且つ（または）必要なブリスタストリップ２を、しっかり確実に又は正確に、動かし又は指標付けすることができる。
【００３４】
運搬装置５またはその運搬ホイール１４は、リザーバ４と受入れ装置１３との間、詳細には、取出し位置６と受入れ装置１３との間、つまり、ブリスタポケット３を空にした後に配置される。
【００３５】
アクチュエータまたはレバー１２の旋回軸は、運搬ホイール１４の回転軸と同軸である。詳細には、アクチュエータまたはレバー１２は、運搬ホイール１４の車軸により支持されてもよい。
【００３６】
吸入器１は、マウスピースカバー１５を備えている。マウスピースカバー１５は、吸入器１の基本原理のみを説明する図１に示されていないが、吸入器１の、より現実的であるが未だ概略的な断面を示す図２において示されている。図２は、閉じたマウスピースカバー１５を備える吸入器１を示し、ブリスタストリップ２を図解目的のために部分的に割愛している。図３は、完全に開いたマウスピースカバー１５を備える吸入器１を示している。
【００３７】
マウスピースカバー１５は、図２および図３に示され、本表示図における図の平面に対し垂直に延伸する、カバー軸１６の周囲を旋回可能である。
【００３８】
アクチュエータ１２の旋回軸は、カバー軸１６と同軸に、またはカバー軸１６に延伸している。運搬ホイール１４の回転軸は、カバー軸１６およびアクチュエータ１２の旋回軸と同軸に延伸している。
【００３９】
運搬装置５またはその運搬ホイール１４は、マウスピースカバー１５、すなわちマウスピースカバー１５の旋回の動きにより駆動される。詳細には、ブリスタストリップ２は、マウスピースカバー１５を開くと前に動く。好ましくは、マウスピースカバー１５の開くという動きの部分だけで、ブリスタストリップ２を前に動かせるように運搬装置５またはその運搬ホイール１４が作動、または操作される。
【００４０】
図３は、取出し位置６におけるマウスピース８を備えた穿通部材７および開封されたブリスタポケット３の拡大断面図を示している。穿通部材７または吸入器１が好ましくは、マウスピース８に接続され、詳細には、マウスピース８の流出空間または流出管１８内に延伸する挿入部１７を備えていることが見受けられる。
【００４１】
挿入部１７は、穿通部材７に近傍して配置される。詳細には、穿通部材７は挿入部１７を形成または支持し、その逆もまたしかりである。
【００４２】
好ましくは、挿入部１７は、マウスピース８またはその流出管１８内で適合した形態で支持されている。しかし、別の構造で解決することも可能である。
【００４３】
吸入器１またはマウスピース８は、好ましくは、外気の空気流９が流入できる、少なくとも１つの、この図では多重の空気用開口部１９を備えている。
【００４４】
穿通部材７およびマウスピース８、並びに（或いは）挿入部１７は、開封されたブリスタポケット３を通って流れてきた空気用の供給路２０、加えてブリスタポケット３を迂回する空気用のバイパス路２１を形成する。両路２０および２１は、好ましくは、各空気が両路２０および２１を通って流れ込むマウスピース８またはその流出管１８内、並びに（或いは）混合ゾーン２２に終結する。
【００４５】
詳細には、空気用開口部１９を通って入り込む空気流９は、開封されたブリスタポケット３を流れ、次いで供給路２０を流れる供給用空気流２３、およびバイパス路２１を流れるバイパス用空気流２４に分配される。
【００４６】
図３は、空気が流れる際のエアロゾルの発生を概略的に示している。開封されたブリスタポケット３を流れる供給用空気流２３は、吸入剤（粉末１０）を取り込み、マウスピース８またはその流出管１８内、詳細には、バイパス用空気流２４と混合する混合ゾーン２２に流れる。つまり、図３において概略的に示されるようにエアロゾルの霧１１が発生する。
【００４７】
本実施形態では、穿通部材７は、好ましくは少なくとも１つの、本図では図３で示されるように、２つの穿通要素２５および２６を備えている。
【００４８】
第１穿通要素２５は、図３に示されるように、ブリスタポケット３の蓋２７に第１ブリスタ開口部（流入用開口部）を形成する役目を果たす。第２穿通要素２６は、図３で概略的に示されるように、蓋２７において接していない、第２ブリスタ開口部（流出用開口部）を形成する。つまり、供給用空気流２３は、第１開口部に流入し、第２開口部から流出することができる。第２開口部は、供給路２０と流体的に接続される、または接続可能である。供給路２０は、本図では好ましくは、取り込まれた吸入剤を備えた空気を案内するために、穿通部材７および（または）挿入部１７内にチャネル２８を形成、または備えている。本実施形態では、チャネル２８は、好ましくは少なくとも本質的に直線であり、且つ（または）混合ゾーン２２に開口している。
【００４９】
チャネル２８は、その流出端部に向かって先が細くなってもよい。しかし、チャネル２８はまた、本質的に一定の内径または断面領域、或いは反対方向に先が細くなってもよい。
【００５０】
チャネル２８は好ましくは、円筒状または断面が円状である。しかし、チャネル２８はまた、楕円形でもよい。同じことが流出管１８および（または）マウスピース８に適用される。
【００５１】
本実施形態では、バイパス路２１は、少なくとも１つまたは２つの、好ましくは接線方向または半径方向のバイパスチャネル２９を先導する、またはチャネル２９により形成され、好ましくは挿入部１７により形成された、混合ゾーン２２および（または）好ましくは共通の混合チャンバ、或いは流出チャネル３０に接続されている。この図では、流出チャネル３０は、チャネル２８よりも大きな直径を有する。しかし、別の構造上の解決を行うことが可能である。
【００５２】
好ましくは、供給路２０(チャネル２８)およびバイパス路２１（バイパスチャネル２９）の出口は、可能な限り近接して配置される。
【００５３】
本実施形態では、バイパス路２１は、その出口を半径方向および（または）接線方向に、好ましくは中心に配列された供給路２０、チャネル２８、流出チャネル３０、および（または）混合ゾーン２２内に開口している。しかし、別の構造上の解決を行うことが可能である。
【００５４】
吸入器１は、好ましくは、取り込まれた吸入剤を備える空気流９の衝突および（または）偏向のための衝突要素３１を備えている。詳細には、取り込まれた吸入剤を備えた供給用空気流２３は、衝突要素３１に衝突することができ、且つ（または）衝突要素３１により偏向される。
【００５５】
詳細には、衝突要素３１は、供給路２０、或いはチャネル２８またはチャネル３０の配列において中央に配置され、且つ（または）主方向または流出方向に対し、半径方向または接線方向に供給路２０／チャネル２８を被覆する。つまり、少なくとも供給用空気流２３は偏向され、且つ（または）衝突要素３１を包囲しなければならない。
【００５６】
本実施形態では、衝突要素３１は、供給路２０、チャネル２８、および（または）マウスピース８の主方向または流出方向に対し、傾斜した衝突面３２を備えている。詳細には、衝突要素３１またはその衝突面３２は、少なくとも本質的に円錐形である。
【００５７】
好ましくは、衝突要素３１は固定されている。しかし、衝突要素３１が可動することも可能である。
【００５８】
好ましくは、衝突要素３１は、マウスピース８内、好ましくは、挿入部１７および（または）供給路２０、混合ゾーンまたはチャンバ２２、並びに（或いは）流出チャネル３０内に、または近傍して配置される。本実施形態では、衝突要素３１は、供給路２０の端部または下流に配置される。衝突要素３１は、好ましくは、供給路２０または挿入部１７、或いは混合チャンバ２２または流出チャネル３０の、好ましくは管または壁３３に、詳細にはリブ手段（図示せず）等により装着される。
【００５９】
図３は非常に概略的にのみ示しており、詳細には、規模、潜在的な構造を示していないことに注意されたい。別の構造上の解決も同様に可能である。
【００６０】
好ましくは、吸入器１は、図４に準じるマウスピース８の領域にある吸入器１の水平断面図において概略的に示されるように、詳細には、マウスピース８、供給路２０、バイパス路２１、流出チャネル３０、および（または）混合ゾーン２２に、渦巻きまたはサイクロン３４を発生させるための（第１）混合手段を備えている。
【００６１】
好ましくは、混合手段は、供給用空気流２３またはマウスピース８内に、最も好ましくは、流出チャネル３０、混合ゾーン２２、および（または）供給路２０内に、接線方向の且つ（または）横方向のバイパス用空気を供給する少なくとも１つまたは２つのバイパスチャネル２９を形成し、または備えている。しかし、別の構造上の解決が可能である。
【００６２】
混合手段により、吸入剤を備えた供給用の空気、および（または）供給用の空気を備えたバイパス用の空気の優れた混合を許容または確保することができる。これにより吸入剤の優れた脱凝集を支援する。詳細には、混合手段により発生した渦巻きまたはサイクロン３４は、詳細には吸入剤の大きな粒子の脱凝集を支援する。
【００６３】
最も好ましくは、混合手段は混合ゾーン２２を形成または画定する。
【００６４】
本実施形態では、衝突要素３１および混合手段は、好ましくは組み合わされている。次いでチャネル２８とチャネル３０との間、すなわち、供給路２０とバイパス路２１との間のいずれの媒介壁も割愛することができる。代わりとなる、または付加的な衝突要素３１は、好ましくは、混合手段および（または）混合ゾーン２２の下流に配置される。
【００６５】
しかし、衝突要素３１および混合手段の一方のみを設けることも可能である。
【００６６】
図５は、図３に類似する概略的な断面図における、本発明による吸入器１の別の好ましい実施形態を示している。以下の記載は、先の記載、有利性、態様、および（または）特徴を、好ましくは付け加えて適用する、または類似の方法で適用できるように、関連性のある相違点について着目する。
【００６７】
代わりとなる、または付加的な衝突要素３１について、吸入器１は、好ましくは同様に混合手段と組み合わせて使用されるが、別々に使用されることも可能な発振および（または）振動デバイス３５を備えている。
【００６８】
発振および（または）振動デバイス３５は、ブリスタストリップ２により形成されるリザーバから離れて配置または実現される。これにより吸入剤の脱凝集を支援し、且つ（または）振動を発生させ、詳細には、吸入剤１のブリスタストリップ２、ブリスタポケット３、供給路２０、穿通部材７、および（または）任意の別の要素または構成材を振動させる。振動により、吸入剤の優れた、または迅速な緩和および（または）脱凝集を達成することができる。
【００６９】
発振および（または）振動デバイス３５は、好ましくは空気流９により可動する発振要素３６を備えていることが好ましい。詳細には、要素３６は、供給用空気流２３および（または）バイパス用空気流２４の手段により振動または発振を始める。
【００７０】
要素３６は、好ましくは本質的にボール状、詳細にはボールである。しかし、任意の別の適した形態、例えば縦長の卵状または任意の類似形態を有することができる。詳細には、振動により、または要素３６の質量、密度、および（または）形態の適合により発振／振動の周波数を変えることが可能である。
【００７１】
好ましくは、要素３６は、発振チャンバ３７に配置され、好ましくは吸入器１の供給路２０、混合ゾーン２２、チャネル３０、または挿入部１７、或いは任意の別の適した構成材により、またはそれらの内部に形成される。空気流９、２３、および（または）２４は、供給用開口部またはチャネル３８を介してチャンバ３７に供給され得る。詳細には、供給チャネル３８は、供給路２０、チャネル３０、または挿入部１７、或いは吸入器１の任意の別の適した構成材に接続、または形成される。
【００７２】
供給チャネル３８は好ましくは、チャンバ３７および要素３６の断面よりも好ましくは小さい断面を備え、発振チャンバ３７に開口している。発振チャンバ３７は、好ましくは、カバーまたは遮蔽手段３９、例えば、格子、リブ等により遮蔽され、それにより要素３６はチャンバ３７から脱出することができない。しかし、別の配列および（または）流体接続も可能である。
【００７３】
要素３６は、好ましくはチャンバ３７で自由に動くことができ、且つ（または）チャンバ３７を流れる空気流９、２３、２４により前後に動き、詳細には、発振、すなわち、好ましくは主要な流れ方向に沿って発振を始める。最も好ましくは、幾何学的な寸法は、欧州特許第０１４７７５５（Ａ２）号明細書に特許付与された各手段に類似、または一致しており、これらは追加の開示のため、および参照として本明細書に取り込まれる。
【００７４】
要素３６の発振は、好ましくは、いわゆるベルヌーイ効果により生じる。発振すると、好ましくは、要素３６は、供給チャネル３８の開口部および（または）遮蔽手段３９に周期的にまたは繰り返しぶつかる。つまり、吸入剤の脱凝集および調剤を支援する異なる効果が得られる。
【００７５】
１つの効果によると、要素３６の発振は、混合および（または）脱凝集を向上させる乱流、渦、または類似したものをチャンバ３７に生じさせる。
【００７６】
別の効果によると、要素３６は、取り込まれた吸入剤を備える空気流９により包囲されるべき妨害または障害を形成する。要素３６は偏向および（または）衝突を形成してもよい。詳細には、吸入剤の大きな粒子は、脱凝集が向上されるように、要素３６に衝突してもよく、または要素３６により偏向されてもよい。
【００７７】
さらなる効果によると、発振要素３６は、吸入器１、マウスピース８、流出管１８、供給路２０、穿通部材７、ブリスタポケット３、および（または）これら、或いは別の構成材の１つの一部分が振動するように振動を発生させる。これにより吸入剤の緩和および脱凝集を向上させる。詳細には、ブリスタポケット３、例えば、蓋２７および（または）その基部の振動が開始され得る。
【００７８】
付加的な効果によると、発振および（または）振動デバイス３５またはその発振要素３６は、吸入剤の、詳細には開封されたブリスタポケット３の優れた緩和または脱凝集を生じさせる、空気圧の変動、波動、または発振を発生させてもよい。
【００７９】
上述の効果は、互いに独立して、且つ（或いは）任意の組み合わせで、または全て組み合わせて達成、または実現することができる。
【００８０】
発振および（または）振動デバイス３５は、好ましくはマウスピース８、流出管１８、挿入部１７、供給路２０、混合ゾーン２２、流出チャネル３０内に、またはそれらの下流に配置される。
【００８１】
発振および（または）振動デバイス３５または要素３６は、好ましくは、約２０Ｈｚから５０００Ｈｚの、好ましくは５０Ｈｚから５００Ｈｚの振動周波数で発振、または振動する。
【００８２】
最も好ましくは、混合手段および発振／振動デバイス３５は組み合わされる。これにより、結果として非常に効果的な脱凝集が得られ、詳細には、少なくとも本質的に吸入剤の微粒子のみを備えたエアロゾルの霧１１を発生させる。
【００８３】
好ましくは、発振および（または）振動デバイス３５は、混合手段の下流に配置される。しかし、任意の別の配列も可能である。
【００８４】
図６は、図３および図５に類似する概略的な断面図における、本発明による吸入器１のさらに好ましい実施形態を示している。以下の記載もまた、この実施形態と先の実施形態との間の主な相違点のみに着目する。先の記載、有利性、態様、および（または）特徴を、好ましくは付加的または類似する方法で適用する。
【００８５】
吸入器１は、図６において概略的に示されるように、第２渦巻きまたはサイクロン４０を発生させるための第２混合手段を備えている。好ましくは、第２混合手段は、第１混合手段と類似する方法で構築される。
【００８６】
第２混合手段は、詳細には、第２バイパス用空気流４１を供給用空気流２３と混合させ、且つ（または）供給路２０、挿入部１７、チャネル３０、並びに（或いは）供給用空気流２３および第２バイパス用空気流４１が混合される、或いは混合された混合ゾーンまたはチャンバ２２に第２サイクロン４０を発生させる。
【００８７】
本実施形態では、第２混合手段は好ましくは、接線方向に且つ（または）横方向にバイパス用空気を、供給路２０、混合チャンバ、或いは第１バイパス用空気流２４と混合された、詳細には、第１混合手段／バイパスチャネル２９の下流で既に混合された供給用空気流２３内に供給する、少なくとも１つまたは２つの第２バイパスチャネル４２を備えている。
【００８８】
好ましくは、第２バイパスチャネル４２は、供給路２０、混合チャンバまたは流出管１８に対し、詳細には、供給路２０、マウスピース８、または流出管１８の主要な流れ方向または調剤方向に対し、接線方向に且つ（または）横方向に開口している。
【００８９】
混合手段により発生した乱流は、結果として発生したエアロゾルの霧１１の平均速度を減速させることができる。低い平均速度は大抵好ましく、つまり、向上した調剤特性を達成できる
【００９０】
好ましくは、第１混合手段は、第１方向の回転に第１サイクロン３４を発生させ、第２混合手段は、第１方向とは反対の第２方向の回転に第２サイクロン４０を発生させる。 この反対の回転により、結果として最適化された吸入剤の、詳細には吸入剤の大きな粒子の脱凝集が生じる。これは高いせん断力および（または）乱流等で説明され得る。
【００９１】
２つの混合手段または発生したサイクロン３４、４０は、好ましくは交互または上下に、詳細には、供給路２０、流出管１８、またはマウスピース８の主要な供給方向、調剤方向、または主要な延伸方向に対し、軸方向に間隔を空ける、または軸方向上下に配置される。しかし、別の配列も可能である。
【００９２】
先に記載したように、２つの混合手段が好ましいことが注意されるべきである。しかし、２つの混合手段が必ずしも必要なわけではなく、そうではあるが、組み合わせることが好ましい。
【００９３】
図３、図５、および図６は、単に概略的な区域であり、チャネル２９、４２は、好ましくは、所望の方向の回転にサイクロン３４、４０を発生させるために、互いが横方向に相殺する関係にあるが、バイパスチャネル２９、４２が同じ平面にあることを示していることが注意されるべきである。
【００９４】
記載した実施形態の個々の特徴および態様、並びに代わりとなるものが望むように組み合わされてもよい。
【００９５】
好ましくは、「ブリスタストリップ」および「ブリスタポケット」という言葉は、製剤のための容器またはバルク貯蔵すら備えた別の種類の貯蔵手段にも及ぶように、非常に広い意義で理解されるべきである。
【符号の説明】
【００９６】
１    吸入器
２    ブリスタストリップ
３    ブリスタポケット
４    リザーバ
５    運搬装置
５ａ  前方移動
６    開口部および（または）取出し位置
７    穿通部材
８    マウスピース
９    空気流
１０  粉末
１１  エアロゾルの霧
１２  アクチュエータ
１２a  ハウジング
１３  受入れデバイス
１４  運搬ホイール
１５  マウスピースカバー
１６  カバー軸
１７  挿入部
１８  流出管
１９  空気開口部
２０  供給路
２１  バイパス路
２２  混合ゾーン
２３  供給用空気流
２４  バイパス用空気流
２５  第１穿通要素
２６  第２穿通要素
２７  蓋
２８  チャネル
２９  バイパスチャネル
３０  流出チャネル
３１  衝突要素
３２  衝突面
３３  壁
３４  第１サイクロン
３５  発振／振動デバイス
３６  発振要素
３７  発振チャンバ
３８  供給チャネル
３９  遮蔽手段
４０  第２サイクロン
４１  第２バイパス用空気流
４２  第２バイパスチャネル
【図１】
2014140755.tif 000003
【図２】
2014140755.tif 000004
【図３】
2014140755.tif 000005
【図４】
2014140755.tif 000006
【図５】
2014140755.tif 000007
【図６】
2014140755.tif 000008
【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
投与分の吸入剤を含有する複数のブリスタポケット（３）を有するバンド形状のブリスタストリップ（２）からの吸入剤の送達のための吸入器（１）であって、前記吸入器（１）は、
前記ブリスタストリップ（２）の段階的な前方移動のための運搬装置（５）と、
配列されたブリスタポケット（３）の蓋（２７）を穿孔するための穿通部材（７）と、を備え、
前記吸入器（１）は、開封したブリスタポケット（３）から各投与分を放出し、マウスピース（８）を介してエアロゾルの霧（１１）として外気とともに前記各投与分を送達するために、吸入の間の吸息により外気の空気流（９）を吸い込むかまたは送達することができるように設計され、
前記吸入器（１）は、前記吸入剤の脱凝集を支援するため、且つ／または前記ブリスタストリップ（２）および／または穿通部材（７）、或いは前記吸入器（１）の任意の別の構成材の少なくとも一部分を振動させるために、前記ブリスタストリップ（２）から分離した発振および／または振動デバイス（３５）を備える、
ことを特徴とする、吸入器。
【請求項２】
第１混合手段が、前記発振および／または振動デバイス（２９）の上流に配置されることを特徴とする、請求項１に記載の吸入器。
【請求項３】
前記発振および／または振動デバイス（３５）が、前記空気流（９）により操作されることを特徴とする、請求項１または２に記載の吸入器。
【請求項４】
前記発振および／または振動デバイス（３５）が、前記マウスピース（８）内、供給路内（２０）、またはそれらの下流に配置されることを特徴とする、請求項１乃至３のいずれか１項に記載の吸入器。
【請求項５】
前記発振および／または振動デバイス（３５）が、発振要素（３６）を備えているか、または前記発振要素（３６）により形成されることを特徴とする、請求項１乃至４のいずれか１項に記載の吸入器。
【請求項６】
前記発振要素（３６）がボールであることを特徴とする、請求項５に記載の吸入器。
【請求項７】
前記発振要素（３６）が、前記空気流（９）および／または取り込まれた吸入剤のために、衝突体または偏向体を形成することを特徴とする、請求項５または６に記載の吸入器。
【請求項８】
前記発振要素（３６）が、前記供給路（２０）または前記マウスピース（８）の主要な流れ方向において前後に動くことにより発振することを特徴とする、請求項５乃至７のいずれか１項に記載の吸入器。
【請求項９】
前記発振要素（３６）が、前記供給路（２０）に接続されるか、または前記供給路（２０）により形成されたチャンバ（３７）内で自由に可動であることを特徴とする、請求項５乃至８のいずれか１項に記載の吸入器。
【請求項１０】
前記発振および／または振動デバイス（３５）が、ベルヌーイ効果を使用することを特徴とする、請求項１乃至９のいずれか１項に記載の吸入器。
【請求項１１】
前記吸入器（１）が、前記発振および／または振動デバイス（３５）、或いはその発振要素（３６）が２０Ｈｚ乃至５０００Ｈｚの周波数で発振または振動するように設計されていることを特徴とする、請求項１乃至１０のいずれか１項に記載の吸入器。
【請求項１２】
前記発振および／または振動デバイス（３５）が、バイパス用空気流（２４）と供給用空気流（２３）の混合の下流に配置されることを特徴とする、請求項１乃至１１のいずれか１項に記載の吸入器。
【請求項１３】
前記吸入器（１）が、前記穿通部材（７）を支持または形成する、成形され且つ／または単一の挿入部（１７）を備え、前記挿入部（１７）が、衝突要素（３１）、前記発振および／または振動デバイス（３５）、並びに／或いは第１混合手段および／または第２混合手段を含有し、備え、または形成することを特徴とする、請求項１乃至１２のいずれか１項に記載の吸入器。